(57)【要約】【課題】トウモロコシ房状体を扱き処理できる脱穀装置を提供する。【解決手段】収穫されたトウモロコシ房状体が投入される扱室２１と、扱室２１に回転可能に設けられた扱胴２６と、が備えられている。扱胴２６の外周部に扱胴径方向外側に向けて突出する状態で設けられ、投入されたトウモロコシ房状体を扱き処理する扱歯３５が備えられている。扱胴２６の外周囲に設けられた受網２５が備えられている。【選択図】図２
2020188820.tif 000002
【特許請求の範囲】
【請求項１】
収穫されたトウモロコシ房状体が投入される扱室と、
前記扱室に回転可能に設けられた扱胴と、
前記扱胴の外周部に扱胴径方向外側に向けて突出する状態で設けられ、投入されたトウモロコシ房状体を扱き処理する扱歯と、
前記扱胴の外周囲に設けられた受網と、が備えられている脱穀装置。
【発明の詳細な説明】
【技術分野】
【０００１】
本発明は、脱穀装置に関する。
【背景技術】
【０００２】
トウモロコシ用の脱穀装置として、収穫されたトウモロコシ房状体が投入される扱室と、扱室に回転可能に設けられた扱胴と、が備えられている。扱胴の外周部に扱胴径方向外側に向けて突出する状態で設けられ、投入されたトウモロコシ房状体を扱き処理する扱歯と、扱胴の外周囲に設けられた受網と、が備えられたものがある。
【０００３】
また、トウモロコシ用の脱穀装置としては、例えば、特許文献１に示されるものがある。特許文献１に示される脱稿装置では、脱穀処理物がフィーダによって供給口から扱室に投入される。扱室には、扱胴と受網とが備えられている。扱胴には、径方向外方に向けて突出する複数の扱歯が、扱き処理部の周方向と前後方向とに間隔を隔てて並ぶように配備されている。扱胴は、トウモロコシを対象物とするよう構成されている。
【先行技術文献】
【特許文献】
【０００４】
【特許文献１】特開２０１７−３５０１５号公報
【発明の概要】
【発明が解決しようとする課題】
【０００５】
上記した脱穀装置では、トウモロコシ房状体（トウモロコシの種子粒が棒状に連なって房状になっているもの）が扱歯と受網とによって扱き処理されるが、トウモロコシ房状体が扱歯による押圧のために受網に強く擦れると、種子粒が潰れるなど損傷し易い。
【０００６】
本発明は、トウモロコシ房状体が損傷し難い脱穀装置を提供することにある。
【課題を解決するための手段】
【０００７】
本発明による脱穀装置は、
収穫されたトウモロコシ房状体が投入される扱室と、
前記扱室に回転可能に設けられた扱胴と、
前記扱胴の外周部に扱胴径方向外側に向けて突出する状態で設けられ、投入されたトウモロコシ房状体を扱き処理する扱歯と、
前記扱胴の外周囲に設けられた受網と、が備えられ、
前記扱歯は、前記受網上に位置しているトウモコロシ房状体の外周部のうち、前記トウモロコシ房状体の長手方向と直交する方向での房断面における頂部から、前記扱胴の回転方向とは反対側に前記房断面の中心回りに６０度、離れた箇所までの範囲に相当する部分に接触作用するように構成されている。
【０００８】
本構成によると、トウモロコシ房状体の外周部のうち、房断面の中心に対して受網側とは反対側に位置する部分において、トウモロコシ房状体が扱歯によって扱胴回転方向下手側に向けて押し操作されるので、トウモロコシ房状体が受網上を転動し易くなり、トウモロコシ房状体と受網との強い擦れあいが生じ難くて種子粒が潰れるなどの損傷を防止し易い。
【０００９】
本発明においては、前記扱歯の先端部の回動軌跡が、前記房断面の中心よりも扱胴中心側を通過するように、前記扱歯の扱胴径方向における長さを設定してあると好適である。
【００１０】
本構成によると、トウモロコシ房状体が受網から若干浮き上がっても、トウモロコシ房状体の外周部のうちの房断面の中心に対して受網側とは反対側の部位において、トウモロコシ房状体が扱歯によって押し操作されるので、トウモロコシ房状体が受網上を転動し易く、トウモロコシ房状体と受網との強い擦れあいを回避し易い。
【００１１】
本発明においては、前記扱歯は、前記扱胴の外周部から扱胴径方向外側に向けて突出する棒状であると共に前記扱胴の回転方向に対する後退角を有しており、前記後退角は、３３５度〜５５度であると好適である。
【００１２】
本構成によれば、トウモロコシ房状体が扱歯によって扱胴回転方向下手側に向けて押し操作されるのみならず、扱歯がトウモロコシ房状体の上を覆う状態になり、トウモロコシ房状体を受網から浮き上がり難くできる。
【００１３】
本発明においては、前記扱胴の軸芯の方向に沿う姿勢で且つ前記扱胴の周方向に間隔を隔てて並ぶ状態で複数の棒状支持部材が備えられ、前記各棒状支持部材に前記扱歯が複数、前記軸芯に沿う方向に間隔を空けて並ぶ状態で支持されており、前記扱歯の前記間隔は、トウモロコシ房状体の長さとほぼ同じに設定されていると好適である。
【００１４】
本構成によれば、扱胴軸芯の方向に並ぶ扱歯どうしの間をトウモロコシ房状体が通るとき、トウモロコシ房状体の長手方向が扱胴軸芯の方向に沿う姿勢又はこれに近い姿勢で通ることができるので、トウモコシ房状体の受網上での姿勢を長手方向が扱胴軸芯の方向に沿う姿勢、すなわち受網上を扱胴回転方向に転動し易い姿勢に姿勢調整されるようにできる。また、トウモロコシ房状体が扱歯どうしの間をすり抜け易いので、トウモロコシ房状体が扱歯によって叩かれ過ぎないようにできる。
【００１５】
本発明においては、前記扱胴の周方向に隣り合う前記棒状支持部材のうちの一方の棒状支持部材における前記扱歯の回動軌跡と他方の棒状支持部材における前記扱歯の回動軌跡とが前記扱胴の軸芯の方向に位置ずれしていると好適である。
【００１６】
本構成によると、トウモロコシ房状体が扱胴軸芯の方向に並ぶ扱歯どうしの間を通ることによって、トウモロコシ房状体が受網上を扱胴回転方向に転動し易い姿勢に姿勢調整されるのみならず、姿勢調整されたトウモロコシ房状体の長手方向での中間部に次の扱歯が押圧作用するので、トウモロコシ房状体を転動させ易い。
【００１７】
本発明においては、前記受網に、前記扱胴の軸芯の方向に沿う姿勢で且つ前記扱胴の周方向に間隔を隔てて並ぶ複数の縦横桟部材と、前記扱胴の周方向に沿う姿勢で且つ前記扱胴の軸芯の方向に間隔を隔てて並ぶ複数の横桟部材と、が備えられ、前記複数の縦桟部材が前記複数の横桟材から扱胴側に突出していると好適である。
【００１８】
本構成によると、縦桟部材と横桟部材との間に、縦桟部材が横桟部材より扱胴側に突出した段差が形成され、トウモロコシ房状体の外周部のうち、房断面の中心に対して扱歯が接触する部分の側と反対側の部分が段差のために縦桟部材に係合し、トウモロコシ房状体が縦桟部材によって移動抵抗を受けつつ、房断面の中心に対して移動抵抗を受ける部位とは反対側の部位が扱歯によって押し操作されるので、トウモロコシ房状体が受網上を転動し易い。
【図面の簡単な説明】
【００１９】
【図１】トウモロコシ収穫機の全体を示す左側面図である。
【図２】脱穀装置の縦断側面図である。
【図３】脱穀装置の縦断正面図である。
【図４】扱歯の構成、及び、扱歯とトウモロコシ房状体との関係を示す説明図である。
【図５】揺動選別装置の前部を示す縦断側面図である。
【図６】第１の調整部材を取り付けた状態の脱穀装置を示す概略平面図である。
【図７】第２の調整部材を取り付けた状態の脱穀装置を示す概略平面図である。
【図８】図６のＶＩＩＩ−ＶＩＩＩ断面矢視図である。
【図９】図７のＩＸ−ＩＸ断面矢視図である。
【図１０】図７のＸ−Ｘ断面矢視図である。
【図１１】トウモロコシ房状体を示す説明図である。
【図１２】別の実施構造を備えた調整部材を示す縦断面図である。
【図１３】さらに別の実施構造を備えた調整部材を示す縦断面図である。
【発明を実施するための形態】
【００２０】
以下、本発明の実施の形態を図面に基づいて説明する。
図１は、トウモロコシ収穫機の全体を示す左側面図である。図１に示す［Ｆ］の方向が走行車体１の前方向、［Ｂ］の方向が走行車体１の後方向、紙面表側の方向が走行車体１の左横方向、紙面裏側の方向が走行車体１の右横方向と定義する。
【００２１】
〔トウモロコシ収穫機の全体の構成〕
図１に示すように、トウモロコシ収穫機は、左右一対の前車輪２が装備され、左右一対の後車輪３が操向可能に装備された走行車体１を備えている。走行車体１の前部に運転部４が形成されている。車体フレーム５の前部から収穫搬送部６が車体前方向きに延出されている。収穫搬送部６には、搬送装置７と収穫部８とが備えられている。搬送装置７の後部が車体フレーム５に枢支されている。搬送装置７は、左右の前車輪２の間を通って走行車体１の前後方向に延びている。収穫部８は、搬送装置７の前部に連結されている。搬送装置７の前端側と車体フレーム５とに昇降シリンダ９が連結されている。搬送装置７を昇降シリンダ９によって車体横方向に延びる枢支軸芯Pを揺動支点にして上下に揺動操作することにより、収穫部８を下降作業姿勢と上昇非作業姿勢とにわたって昇降操作できる。
車体フレーム５の後部に脱穀装置１０及び穀粒タンク１１が設けられている。穀粒タンク１１は、車体右横側の端部で車体フレーム５に枢支され、脱穀装置１０の上方に下降揺動した下降貯留姿勢と、左横端側ほど高くなる傾斜姿勢に上昇揺動した上昇排出姿勢とに姿勢変更可能になっている。
【００２２】
収穫部８を下降作業姿勢にして走行車体１を走行させることにより、トウモロコシの収穫作業をできる。収穫部８において、トウモロコシの木が左右一対の収穫ロール８ａの間に導入され、収穫ロール８ａによってトウモロコシ房状体１５（図１１参照）がトウモロコシの木から引き千切られて、トウモロコシ房状体１５の収穫が行われる。トウモロコシ房状体１５は、種子粒が棒状に連なって房状になり、かつ、包葉によって覆われているものである。収穫されたトウモロコシ房状体１５が搬送装置７によって脱穀装置１０に搬送されて供給される。脱穀装置１０において、トウモロコシ房状体１５から種子粒を脱粒させる扱き処理が行われる。脱粒した種子粒が脱穀装置１０から揚穀装置１２によって穀粒タンク１１に供給されて貯留される。穀粒タンク１１を上昇排出姿勢に上昇操作することにより、穀粒タンク１１に貯留されている種子粒が走行車体１の右横側方へ落下して排出される。
【００２３】
〔脱穀装置１０の構成〕
図２に示すように、脱穀装置１０は、脱穀機体１３を備えている。脱穀機体１３の上部に、トウモロコシ房状体１５を扱き処理する脱穀部２０が形成されている。脱穀機体１３の下部に、脱穀部２０によって得られた種子粒を脱穀排出物と選別する選別部４０が形成されている。脱穀機体１３の後部に、脱穀部２０及び選別部４０からの脱穀排出物を細断処理する細断装置Ｓが装備されている。
【００２４】
〔脱穀部２０の構成〕
図２，３に示すように、脱穀部２０は、扱室２１を備えている。扱室２１は、前壁２２、後壁２３、天板２４及び受網２５によって形成されている。扱室２１の前部に入口２１ａが設けられ、扱室２１の後部に出口２１ｂが設けられている。扱室２１に、扱胴２６が設けられている。扱胴２６は、回転支軸２７を介して前壁２２及び後壁２３に支持されている。回転支軸２７が駆動機構２８によって駆動され、扱胴２６が回転支軸２７の軸芯Ｘを回転中心にして回転方向Ｒ（図３参照）に駆動される。受網２５は、扱胴２６の外周囲に設けられている。
【００２５】
図２に示すように、扱胴２６には、掻込み部３０及び扱き処理部３１が備えられている。掻込み部３０は、扱胴２６の前部に設けられている。扱き処理部３１は、扱胴２６の後部に設けられている。掻込み部３０の後端部と扱き処理部３１の前端部とが連結されている。
【００２６】
図２，３に示すように、扱き処理部３１は、６本の棒状支持部材３２を備えている。６本の棒状支持部材３２は、軸芯Ｘの方向に沿う姿勢で、扱胴２６の周方向に間隔を空けて並んでいる。各棒状支持部材３２の前端部は、掻込み部３０の基台３０ａを介して回転支軸２７に支持されている。各棒状支持部材３２の後端部は、後支持部材３３を介して回転支軸２７に支持されている。各棒状支持部材３２の前後方向での中間部における３箇所が中支持部材３４を介して回転支軸２７に支持されている。扱胴２６の外周部としての棒状支持部材３２に、複数の扱歯３５が支持されている。複数の扱歯３５は、軸芯Ｘの方向に間隔Ｄ１を空けて並んでいる。各扱歯３５は、棒状支持部材３２から扱胴２６の径方向外側に向けて突出している。扱き処理部３１が籠状に構成され、扱胴２６は、いわゆるバー型扱胴に構成されている。本実施形態では、棒状の扱歯３５を採用している。線材を折り曲げた扱歯、板部材で構成された扱歯など、具体的形状が各種異なる扱歯を採用可能である。本実施形態では、６本の棒状支持部材３２を備えているが、５本以下や、７本以上の本数の棒状支持部材３２を備えることが可能である。
【００２７】
図４は、扱歯３５の構成、及び、受網２５上に位置するトウモロコシ房状体１５と扱歯３５との関係を示す説明図である。図４に示す房断面１５Ａは、トウモロコシ房状体１５のうちの基端側の外径が大きい房部分１５ｂ（図１１参照）における断面である。この断面は、トウモロコシ房状体１５の長手方向と直交する方向での断面である。
【００２８】
図４に示すように、扱歯３５が受網上に位置するトウモロコシ房状体１５に接触作用するとき、トウモロコシ房状体１５の外周部のうち、房断面１５Ａにおける頂部１５ｔから６０度の離間角度ａを離れた箇所１５ｃまでの範囲１５Ｓに相当する部分１５Ｘに接触作用するよう構成してある。頂部１５ｔから離間角度ａを離れた箇所１５ｃとは、頂部１５ｔから、扱胴２６の回転方向Ｒとは反対側、すなわち頂部１５ｔに対して扱歯３５が移動する側とは反対の側に房断面１５Ａの中心Ｙ回りに離間角度ａを離れた箇所である。トウモロコシ房状体１５の外周部のうち、房断面の中心Ｙに対して受網側とは反対側に位置する部分１５Ｘが扱歯３５によって扱胴回転方向下手側に向けて押し操作され、トウモロコシ房状体１５が受網上を転動し易くなる。
【００２９】
扱歯３５は、扱胴２６の回転方向Ｒに対する４５度の後退角ｂを有する取付姿勢で扱胴２６に支持されている。扱歯３５の扱胴２６の外周部から扱胴径方向外側に向けて突出する長さＬとして、扱歯３５の先端部の回動軌跡Ｔ１が房断面１５Ａにおける中心Ｙよりも扱胴中心（軸芯Ｘ）の側を通過する長さが設定されている。扱歯３５がトウモロコシ房状体１５の上方を覆う状態になり、トウモロコシ房状体１５の外周部のうち、房断面１５Ａの中心Ｙに対して受網側とは反対側に位置する部分１５Ｘが扱歯３５によって扱胴回転方向下手側に向けて押し操作されるので、トウモロコシ房状体１５が受網２５から浮き上がり難くい状態で受網２５上を転動する。
【００３０】
本実施形態では、４５度の後退角ｂを採用しているが、３５度〜５５度の範囲の後退角を採用することによっても同様の作用、効果を得ることができる。
【００３１】
図２に示すように、各棒状支持部材３２における扱歯３５の間隔Ｄ１は、トウモロコシ房状体１５の長さ１５Ｌ（図１１参照）とほぼ同じに設定されている。本発明に係る長さ１５Ｌとほぼ同じ間隔Ｄ１とは、長さ１５Ｌに等しい間隔、長さ１５Ｌより少し長い間隔、長さ１５Ｌより少し短い間隔を含む。扱胴２６の周方向に隣り合う棒状支持部材３２のうちの一方の棒状支持部材３２における扱歯３５の回動軌跡Ｔ２と、扱胴２６の周方向に隣り合う一対の棒状支持部材３２の他方の棒状支持部材３２の扱歯３５の回動軌跡Ｔ２とが軸芯Ｘの方向に位置ずれしている。すなわち、棒状支持部材３２の長手方向での扱歯３５の取付け位置が異なる２種類の棒状支持部材３２が扱胴３５の周方向に交互に並んでいる。
【００３２】
扱胴軸芯Ｘの方向に並ぶ扱歯３５どうしの間をトウモロコシ房状体１５が通るとき、トウモロコシ房状体１５の長手方向が扱胴軸芯Ｘの方向に沿う姿勢又はこれに近い姿勢で通り、トウモロコシ房状体１５の受網上での姿勢を長手方向が扱胴軸芯Ｘの方向に沿う姿勢に姿勢調整されるようにできる。姿勢調整されたトウモロコシ房状体１５の長手方向での中間部に次の扱歯３５が押圧作用し、トウモロコシ房状体１５が受網上を転動し易い。
【００３３】
図３に示すように、受網２５は、扱胴２６の周方向に２つの分割受網２５Ａに分割可能に構成されている。図２，３に示すように、各分割受網２５Ａには、扱胴２６の周方向に沿う姿勢の複数の横桟部材３６と、扱胴２６の軸芯Ｘの方向に沿う姿勢の複数の縦桟部材３７と、枠部材３８とが備えられている。複数の縦桟部材３７は、扱胴２６の周方向に間隔を空けて並ぶ状態で備えられ、複数の横桟部材３６は、扱胴２６の軸芯Ｘの方向に間隔を空けて並ぶ状態で備えられている。各横桟部材３６は、各縦桟部材３７を挿通するよう構成され、各縦桟部材３７の両端部、及び、各横桟部材３６の両端部が枠部材３８に連結され、各分割受網２５Ａは、格子受網に構成されている。
【００３４】
図４に示すように、各縦桟部材３７の扱室内方側の端部３７ａが各横桟部材３６から扱胴側に突出する格子状に構成されている。縦桟部材３７と横桟部材３６との間に段差が形成され、トウモロコシ房状体１５の外周部のうち、房断面１５Ａの中心Ｙに対して扱歯３５が接触する部分とは反対側に位置する部分１５ｄが縦桟部材３７の端部３７ａに係合し、トウモロコシ房状体１５が扱歯３５によって押圧操作されるとき、端部３７ａによって移動抵抗を受けつつ押圧操作され、トウモロコシ房状体１５が転動し易い。
【００３５】
本実施形態では、縦桟部材３７は、板厚方向が扱胴周方向となっている帯板材によって構成され、横桟部材３６は、丸棒材によって構成されている。横桟部材としては、角棒材、筒部材、線材などを採用可能である。
【００３６】
図２，３に示すように、天板２４の内面側に複数の第１の調整部材６１が取付けられている。複数の第１の調整部材６１は、軸芯Ｘの方向に間隔を空けて並んでいる。図６に示すように、第１の調整部材６１には、軸芯Ｘに直交する方向に対する傾斜角を送り角ｃとして備えられている。トウモロコシ房状体１５が扱き処理部３１の回転によって付与される回動力によって扱き処理部３１の周方向に回動して第１の調整部材６１に当たり、第１の調整部材６１の送り角ｃによる案内作用によって、出口２１ｂの側に向かって流動するように案内される。すなわち、トウモロコシ房状体１５が扱胴２６の回転、及び、第１の調整部材６１の案内によって出口２１ｂの側に送られる。出口２１ｂの側へ送られるトウモロコシ房状体１５の送り量が送り角ｃによって設定される設定量になるように第１の調整部材６１によって調整される。
【００３７】
脱穀部２０においは、トウモロコシ房状体１５が搬送装置７によって入口２１ａを介して扱室２１の前部に投入される。投入されたトウモロコシ房状体１５が掻込み部３０の２重螺旋の螺旋羽根３０ｂによって案内底板２１ｃに沿わせて扱き処理部３１に掻き込まれる。掻き込まれたトウモロコシ房状体１５が扱き処理部３１の回転、及び第１の調整部材６１による案内によって出口２１ｂの側へ送られつつ扱歯３５と受網２５とによって扱き処理される。かつ、トウモロコシ房状体１５の出口２１ｂの側への送り量が送り角ｃによる設定量になるように第１の調整部材６１によって調整されつつ扱き処理される。トウモロコシ房状体１５の外周部のうちの範囲１５Ｓに相当する部分に扱歯３５が接触作用してトウモロコシ房状体１５が扱歯３５によって扱胴回転方向下手側に向けて押し操作されるので、トウモロコシ房状体１５が受網２５上をスムーズに転動しつつ扱き処理される。
【００３８】
扱き処理によってトウモロコシ房状体１５から脱粒した種子粒が受網２５の漏下穴を介して選別部４０に落下する。扱き処理によってトウモロコシ房状体１５から外れた包葉などの排出物が扱室２１から出口２１ｂを介して後方へ排出されて細断装置Ｓに入る。
【００３９】
〔選別部４０の構成〕
図２に示すように、選別部４０には、揺動選別装置４１、唐箕４２、１番スクリューコンベヤ４３、２番スクリューコンベヤ４４が設けられている。
【００４０】
揺動選別装置４１は、駆動機構４１ｃによって駆動され、前端側の支軸４１ａを揺動支点にして後端側が上下揺動する。受網２５から落下した種子粒、包葉の破片などが揺動選別装置４１によって受け止められ、揺動選別されつつ、かつ、唐箕４２からの選別風によって風選別されつつ後方へ移送される。揺動選別装置４１から落下した単粒化状態の種子粒が１番スクリューコンベヤ４３によって回収されて脱穀装置１０の外部に搬送される。
揺動選別装置４１から落下した未処理状態の処理物が２番スクリューコンベヤ４４によって回収されて搬送される。
【００４１】
図２に示すように、揺動選別装置４１には、シーブケース４１Ｋが備えられている。シーブケース４１Ｋには、グレンパン４５、後側グレンパン４６、チャフシーブ４７、グレンシーブ４８、複数のストローラック４９が備えられている。後側グレンパン４６は、グレンパン４５の後下方に設けられている。チャフシーブ４７は、後側グレンパン４６の真後に設けられている。
【００４２】
シーブケース４１Ｋが前後揺動すると、グレンパン４５及び後側グレンパン４６にて処理物の比重選別が行われる。比重選別が終わった処理物は、チャフシーブ４７に搬送される。唐箕４２からの選別風は、風路Ｗ１を通ってチャフシーブ４７の前下方から吹き上げられる。
【００４３】
グレンパン４５と後側グレンパン４６との間には、風路Ｗ２が形成されている。シーブケース４１Ｋには、風路Ｗ２を閉塞可能な遮蔽部材５２が、取り付け及び取り外し可能に備えられている。
【００４４】
図５に示すように、グレンパン４５の後端部に、取付部４５ａが備えられている。遮蔽部材５２の上端部５２ｂが取付部４５ａにボルト５３によって固定される。遮蔽部材５２における上端部５２ｂの後側に、平板状の遮蔽部５２ａが備えられている。遮蔽部材５２がグレンパン４５に取り付けられた状態で、上端部５２ｂは水平姿勢であり、遮蔽部５２ａは、上端部５２ｂから後下がりの傾斜姿勢となる。遮蔽部５２ａは、取り付け状態において、グレンパン４５の後端部と後側グレンパン４６の上面とに亘り、かつ、左右方向でシーブケース４１Ｋの左右の壁部４１ｂに亘っている。遮蔽部５２ａの左右両端には、横側取付部５２ｃが備えられている。左右の横側取付部５２ｃは、左右の壁部４１ｂに、夫々ボルト５４によって固定される。
【００４５】
遮蔽部材５２が取付部４５ａと左右壁部４１ｂとに固定されると、風路Ｗ２が閉塞され、選別風を堰き止めることができる。
【００４６】
後側グレンパン４６の上面は、山部４６ｂと谷部４６ｃとが繰り返される断面のこぎり刃の形状である。シーブケース４１Ｋが前後揺動すると、後側グレンパン４６の上面にある種子粒などの処理物は、谷部４６ｃから後上方に押し上げられ、次の山部４６ｂを越えて、さらに次の谷部４６ｃへ移送される。この動作を繰り返しながら、処理物は比重選別されながら後方に搬送される。後側グレンパン４６のうち、グレンパン４５の後端部の略真下に位置する前端谷部４６ｆは、他の谷部４６ｃよりも深く形成されている。また、前端谷部４６ｆ以後の後側グレンパン４６の断面形状は、同一の形状に形成されている。
【００４７】
遮蔽部材５２がグレンパン４５に取付けられた状態で、前端谷部４６ｆと次の山部４６ｂとの間の傾斜面に、遮蔽部５２ａの下端が接して、新たな前端谷部４６ａが形成されている。新たな前端谷部４６ａと次の山部４６ｂとに亘る前後間隔Ｄ２は、次の山部４６ｂ以降の山部４６ｂ同士の前後間隔Ｄ３と同じとなるように構成されている。また、遮蔽部５２ａは、山部４６ｂから谷部４６ｃに亘る傾斜面４６ｅと平行となるように傾斜している。この構成により、遮蔽部５２ａと次の山部４６ｂとに亘る断面形状が、他の山部４６ｂ同士の間の断面形状に近い形状になる。そして、シーブケース４１Ｋが前後揺動すると、新たな前端谷部４６ａにある処理物に、他の山部４６ｂ及び谷部４６ｃと同じような選別作用及び搬送作用を施すことができる。
【００４８】
遮蔽部材５２がない場合、グレンパン４５から排出された種子粒が前端谷部４６ｆに落下することがある。この場合、前端谷部４６ｆの深さのために種子粒が選別風を受けないで前端谷部４６ｆに滞留したままになる。遮蔽部材５２を取付けた場合、グレンパン４５から排出された種子粒が遮蔽部５２ａによって受け止められて、新たな前端谷部４６ａに落下する。すると、遮蔽部５２ａと、種子粒を後方に向けて送り出し操作する傾斜面４６ｅとが平行であり、かつ、遮蔽部５２ａと山部４６ｂとの間隔Ｄ２が山部４６ｂ同士の間隔Ｄ３と等しい又はほぼ等しいので、新たな前端谷部４６ａに位置した種子粒が新たな前端谷部４６ａに位置したままにならず、後方へスムーズに送り出される。
【００４９】
図７は、第１の調整部材６１に代えて第２の調整部材６２が取付けられた状態の脱穀装置を示す概略平面図である。第２の調整部材６２には、送り角ｄが備えられている。第２の調整部材６２の送り角ｄは、第１の調整部材６１の送り角ｃよりも後下がり傾斜が緩傾斜の送り角に設定されている。
【００５０】
第２の調整部材６２が取付けられた脱穀装置１０では、トウモロコシ房状体１５が扱胴２６の回転、及び、第２の調整部材６２の送り角ｄによる案内によって出口２１ｂの側に送られつつ、扱胴２６と受網２５とによって扱き処理される。出口２１ｂの側へ送られるトウモロコシ房状体１５の送り量が第１の調整部材６１によって調整される送り量よりも少ない送り量になるように第２の調整部材６２によって調整される。
【００５１】
〔調整部材の構成〕
図３，８，９，１０に示すように、第１の調整部材６１及び第２の調整部材６２には、ベース部６３と羽根部６４とが備えられている。羽根部１４は、ベース部６３から扱胴２６の中心側に向けて立ち上がっている。
【００５２】
図８に示すように、第１の調整部材６１においては、ベース部６３は、羽根部６４を構成する部材の折り曲げ端部によって構成されている。ベース部６３の４箇所に連結部６５が形成されている。４箇所の連結部６５に１つの連結穴６６が備えられている。４箇所の連結部６５は、天板２４に形成されている４つの取付部６７に対応している。連結部６５の連結穴６６は、取付部６７に備えられている取付穴６８に対応している。
【００５３】
図６，８に示すように、第１の調整部材６１においては、４箇所の連結穴６６と、この連結穴６６が対応する取付穴６８とに締結具としての連結ボルト６９を通し、連結ボルト６９とネジ穴部材７０とによる締め付け力によって、４箇所の連結部６５をこの連結部６５が対応する取付部６７に連結することによって、ベース部６３が天板２４に沿った取付姿勢で天板２４に連結されている。ベース部６３を天板２４に連結することによって、第１の調整部材６１が天板２４に脱着可能に取付けられている。
【００５４】
図９，１０に示すように、第２の調整部材６２においては、ベース部６３と羽根部６４とは、別々の部材によって構成されている。羽根部６４がベース部６３に溶接されている。ベース部６３の４箇所に連結部７１が形成されている。４箇所の連結部７１に１つの連結穴７２が備えられている。４箇所の連結部７１は、天板２４の４つの取付部６７に対応している。連結部７１の連結穴７２は、取付部６７の取付穴６８に対応している。
【００５５】
図７，９，１０に示すように、第２の調整部材６２においては、４箇所の連結穴７２と、この連結穴７２が対応する取付穴６８とに連結ボルト６９を通し、連結ボルト６９とネジ穴部材７０とによる締め付け力によって、４箇所の連結部７１をこの連結部７１が対応する取付部６７に連結することによって、ベース部６３が天板２４に沿った取付姿勢で天板２４に連結されている。ベース部６３を天板２４に連結することによって、第２の調整部材６２が天板２４に脱着可能に取付けられている。４箇所の連結部７１は、羽根部６４を挟んで扱室入口側と扱室出口側とに振り分け配置されている。本実施形態では、４箇所の連結部７１のうち、案内方向上手側の２箇所の連結部７１が扱室入口側に位置し、案内方向下手側の２箇所の連結部７１が扱室出口側に位置している。
【００５６】
第１の調整部材６１と第２の調整部材６２とを付け替えることにより、調整される送り量を変更できる。第１の調整部材６１の天板２４への取付け、及び、第２の調整部材６２の天板２４への取付けは、ベース部６３を同じ取付穴６８を用いて同じ取付部６７に連結することによって行なうようになっている。
【００５７】
〔別実施形態〕
（１）図１２は、別の実施構造を備えた調整部材７３を示す縦断面図である。別の実施構造を備えた調整部材７３では、羽根部６４とベース部６３とが別々の部材によって構成されている。ベース部６３に支持部６３ａが備えられ、支持部６３ａと羽根部６４とが連結ボルト７４によって連結されて、羽根部１４がベース部６３に支持されている。
【００５８】
（２）図１３は、さらに別の実施構造を備えた調整部材７５を示す縦断面図である。さらに別の実施構造を備えた調整部材７５では、１つのベース部６３から２つの羽根部６４が扱胴２６の中心側に向けて立ち上がっている。
【００５９】
（３）上記した実施形態では、扱胴２６をバー型扱胴に構成した例を示したが、板部材を円筒状に形成したドラムを備え、ドラムに扱歯を支持したドラム型扱胴に構成して実施してもよい。
【００６０】
（４）上記した実施形態では、棒状の扱歯３５を採用した例示したが、線材を曲げ成形した扱歯、あるいは板状の扱歯を採用してもよい。
【００６１】
（５）上記した実施形態では、扱歯の先端部の回動軌跡Ｔ１が房断面１５Ａの中心Ｙよりも扱胴中心側を通過する長さを有する扱歯を採用した例を示したが、扱歯の先端部の回動軌跡Ｔ１が房断面１５Ａの中心Ｙを通過する長さ、あるいは、扱歯の先端部の回動軌跡Ｔ１が房断面１５Ａの中心Ｙよりも受網側を通過する長さを有する扱歯を採用してもよい。
【００６２】
（６）上記した実施形態では、後退角ｂを有する扱歯を採用した例を示したが、後退角を有しない扱歯を採用してもよい。
【００６３】
（７）上記した実施形態では、扱歯どうしの間隔Ｄ１をトウモロコシ房状体１５の長さ１５Ｌにほぼ等しくした例に示したが、トウモロコシ房状体１５の長さ方向が扱胴軸芯Ｘの方向と交差する姿勢でトウモロコシ房状体１５が扱歯どうし間を扱胴周方向に通るように、扱歯どうしの間隔をトウモロコシ房状体１５の長さ１５Ｌよりも短くして実施してもよい。
【００６４】
（８）上記した実施形態では、縦桟部材３７が横桟部材３６から扱胴側に突出する受網を採用した例を示したが、横桟部材が縦桟部材から扱胴側に突出する受網、あるいは、横桟部材と縦桟部材の扱胴側が面一に揃う受網を採用してもよい。
【産業上の利用可能性】
【００６５】
本発明は、前車輪、後車輪に代え、クローラ走行装置、車輪とミニクローラとを込み合わせた走行装置を備えるトウモロコシ収穫機に適用できる。
【符号の説明】
【００６６】
１５      トウモロコシ房状体
１５Ａ    房断面
１５ｔ    頂部
１５Ｓ    範囲
２１      扱室
２５      受網
２６      扱胴
３２      棒状支持部材
３５      扱歯
３６      横桟部材
３７      縦桟部材
ｂ        後退角
Ｄ１      間隔
Ｌ        長さ
Ｔ１      回動軌跡
Ｒ        回転方向
Ｘ        軸芯
Ｙ        中心
【図１】
2020188820.tif 000003
【図２】
2020188820.tif 000004
【図３】
2020188820.tif 000005
【図４】
2020188820.tif 000006
【図５】
2020188820.tif 000007
【図６】
2020188820.tif 000008
【図７】
2020188820.tif 000009
【図８】
2020188820.tif 000010
【図９】
2020188820.tif 000011
【図１０】
2020188820.tif 000012
【図１１】
2020188820.tif 000013
【図１２】
2020188820.tif 000014
【図１３】
2020188820.tif 000015